(57)【要約】      （修正有）【課題】簡単な構成で、装着後に外れにくいバンドを提供する。【解決手段】バンド１はシリコン等の弾性を有する素材で帯状に形成された帯状部材１０で構成される。帯状部材１０の端部Ｅ１側には、長手方向に沿った両側部に、短手方向に突起するように配置された複数の山部１２と、それらの山部１２の間に位置した複数の谷部１３が形成されている。帯状部材１０の端部Ｅ２側には、長手方向に並ぶ位置に第１孔１４と第２孔１５が形成されている。第１孔１４と第２孔１５の短手方向における寸法Ａは、端部Ｅ１側の短手方向に並ぶ２つの山部１２の頂の間の寸法Ｍより短く、かつ、短手方向に並ぶ２つの谷部１３の底の間の寸法Ｖより長い。使用者は手首にバンド１を巻き付けて、先端部１１を第１孔１４に裏面側から表面側に貫通させた後、第２孔１５に表面側から裏面側へ挿入してバンド１を手首に装着する。【選択図】図２
2020089597.tif 000002
【特許請求の範囲】
【請求項１】
弾性を有する材料で帯状に形成されたバンドであって、
長手方向における一方の端部側の、長手方向に沿った両側部に、短手方向に突起する複数の山部と、当該複数の山部の間に位置する複数の谷部とを有し、
長手方向における他方の端部側に、長手方向に並んで位置する複数の孔を有し、
前記複数の孔の短手方向における寸法は、前記複数の山部のうち短手方向に並ぶ２つの山部の頂の間の寸法より短く、かつ、前記複数の谷部のうち短手方向に並ぶ２つの谷部の底の間の寸法より長い
バンド。
【請求項２】
前記複数の孔のうち隣り合う２つの孔の前記他方の端部側の辺の間の寸法は、前記複数の谷部のうち長手方向に隣接して並ぶ２つの谷部の底の間の寸法の実質的に自然数倍である
請求項１に記載のバンド。
【請求項３】
長手方向において、前記複数の山部又は前記複数の谷部が形成されている領域と、前記複数の孔が形成されている領域との間の領域に、文字及び模様の少なくとも一方の形状の孔を有する
請求項１又は２に記載のバンド。
【請求項４】
長手方向において、前記複数の山部又は前記複数の谷部が形成されている領域と、前記複数の孔が形成されている領域との間の領域に、インクによる筆記を受け付ける筆記領域を有する
請求項１乃至３のいずれか１項に記載のバンド。
【発明の詳細な説明】
【技術分野】
【０００１】
本発明は、身体等に装着するバンドに関する。
【背景技術】
【０００２】
コンサートやイベント会場等で、参加者に対してオリジナルのリストバンドを配布、販売し装着させて、参加者であることを特定することが行われている。また、病院等の医療機関においては、患者の識別のために、患者の個人情報が記載されたバンドを手首や足首に装着することが行われている。
【０００３】
特許文献１には、帯状のリストバンドの一端側に設けた孔と他端側に設けた孔とを重ね合わせ、それらの孔を挿通するピンを有するクリップを用いて、リストバンドを手首あるいは足首に係止する構成が記載されている。
【０００４】
特許文献２には、帯状部材の一端側に幅を細くした先端部分と、その後側に幅方向に対して切り欠かれた切り欠き部を備え、他端側に孔を備えて構成されるリストバンドが記載されている。特許文献２に記載のリストバンドは、一端側の先端部分を他端側の孔に挿入し、一端側の切り欠き部を孔に係合させることにより、手首に対する装着が行われる。
【先行技術文献】
【特許文献】
【０００５】
【特許文献１】特開２０１２−５８４９６号公報
【特許文献２】実用新案登録第３０６８４９１号公報
【発明の概要】
【発明が解決しようとする課題】
【０００６】
特許文献１に記載のバンドの構成によれば、バンドを装着するために別の部材であるクリップが必要となり、装着の作業が煩雑になるという問題がある。特許文献２に記載のバンドの構成によれば、帯状部材のみで装着ができるが、柔軟な帯状部材に形成された孔と切り欠き部との係合により帯状部材を係止しているため、係合が外れやすいという問題がある。
【０００７】
上記の背景に鑑み、本発明は、簡単な構成で、装着後に外れにくいバンドを提供する。
【課題を解決するための手段】
【０００８】
上述した課題を解決するために、本発明は、弾性を有する材料で帯状に形成されたバンドであって、長手方向における一方の端部側の、長手方向に沿った両側部に、短手方向に突起する複数の山部と、当該複数の山部の間に位置する複数の谷部とを有し、長手方向における他方の端部側に、長手方向に並んで位置する複数の孔を有し、前記複数の孔の短手方向における寸法は、前記複数の山部のうち短手方向に並ぶ２つの山部の頂の間の寸法より短く、かつ、前記複数の谷部のうち短手方向に並ぶ２つの谷部の底の間の寸法より長いバンドを第１の態様として提供する。
【０００９】
第１の態様のバンドは、簡単な構成であるが、装着後に外れにくい。
【００１０】
第１の態様のバンドにおいて、前記複数の孔のうち隣り合う２つの孔の前記他方の端部側の辺の間の寸法は、前記複数の谷部のうち長手方向に隣接して並ぶ２つの谷部の底の間の寸法の実質的に自然数倍である、という構成が第２の態様として採用されてもよい。
【００１１】
第２の態様のバンドによれば、装着後にバンドの重なり部分におけるだぶつきが生じにくい。
【００１２】
第１又は第２の態様のバンドにおいて、長手方向において、前記複数の山部又は前記複数の谷部が形成されている領域と、前記複数の孔が形成されている領域との間の領域に、文字及び模様の少なくとも一方の形状の孔を有する、という構成が第３の態様として採用されてもよい。
【００１３】
第３の態様のバンドによれば、観る者にメッセージを伝えたり、装着する者を装飾したりできる。
【００１４】
第１乃至第３のいずれかの態様のバンドにおいて、長手方向において、前記複数の山部又は前記複数の谷部が形成されている領域と、前記複数の孔が形成されている領域との間の領域に、インクによる筆記を受け付ける筆記領域を有する、という構成が第４の態様として採用されてもよい。
【００１５】
第４の態様のバンドによれば、ユーザ等はバンドに対しインクで筆記を行うことができる。
【図面の簡単な説明】
【００１６】
【図１】一実施形態に係るバンドを手首に装着した状態を示した図。
【図２】一実施形態に係るバンドの構成を示した平面図。
【図３】一実施形態に係るバンドの一端側を他端側に連結する過程を示した図。
【図４】変形例に係るバンドの構成を示した図。
【図５】変形例に係るバンドの構成を示した図。
【図６】変形例に係るバンドの構成を示した図。
【発明を実施するための形態】
【００１７】
［実施形態］
以下に本発明の一実施形態に係るバンド１を説明する。図１はバンド１を手首に装着した状態を示した図、図２はバンド１の構成を示した平面図である。図１に示すように、バンド１は、帯状部材１０を環状に形成し、例えば使用者の手首Ｗに巻き付けることにより装着される。
【００１８】
バンド１は、シリコン等の合成ゴム、天然ゴム等の弾性を有する材料で帯状に形成された帯状部材１０によって構成される。この材料は、わずかな力で変形、伸張し、力を除くと元の形状に戻る性質を備えている。バンド１は、帯状部材１０の両端を結合して環状にすることにより、使用者の腕（例えば手首）や脚（例えば足首）の外周に沿って巻き付けて装着される。
【００１９】
帯状部材１０の長手方向（図２の上下方向）における一方の端部である端部Ｅ１側には、台形状の先端部１１が形成されている。また、端部Ｅ１側の長手方向に沿った両側部には、帯状部材１０の短手方向（図２の左右方向）に突起する複数の山部１２と、それら複数の山部１２の間に位置する複数の谷部１３が形成されている。
【００２０】
本実施形態では、端部Ｅ１側から先端部１１に続く山部１２と谷部１３は、長手方向に沿った両側部に、各々７つ形成されている。複数の谷部１３のうち短手方向に並ぶ２つの谷部１３の底の間の寸法をＶ、複数の山部１２のうち短手方向に並ぶ２つの山部１２の頂の間の寸法をＭ（Ｍ＞Ｖ）、１つの山部１２を挟んで長手方向に隣接して並ぶ２つの谷部１３の底の間の寸法をＰとする。１つの谷部１３を挟んで長手方向に隣接して並ぶ任意の２つの山部１２の頂の間の寸法もＰである。
【００２１】
帯状部材１０の長手方向に沿った両側部に形成される山部１２と谷部１３が描く縁の形状は、正弦波又はそれに近い形状である。
【００２２】
長手方向において隣り合う２つの山部１２の頂の間の寸法Ｐは、山部１２の領域のうち、帯状部材１０の短手方向に対して最も突出した部分の間の長さを示している。また、長手方向において隣り合う２つの谷部１３の底の間の寸法Ｐは、谷部１３の領域のうち、帯状部材１０の短手方向に対して最も凹んだ部分の間の長さを示している。
【００２３】
帯状部材１０の他方の端部である端部Ｅ２側には、表面（図２における紙面上側の面）から裏面に貫通する第１孔１４と第２孔１５とが、帯状部材１０の長手方向に並ぶ位置に形成されている。第１孔１４、第２孔１５の形状は、帯状部材１０の短手方向に延びる長方形状に対し４つの角部及び１つの辺に丸みを持たせた形状である。長方形状の各長辺のうち、端部Ｅ２側の長辺が摺動辺１４Ａ、１５Ａであり、他方側の長辺が固定辺１４Ｂ、１５Ｂである。摺動辺１４Ａ、１５Ａは、端部Ｅ１側の先端部１１、山部１２、谷部１３が第１孔１４、第２孔１５に挿入あるいは抜去される際に、端部Ｅ１側の部分と摺動しやすい辺である。
【００２４】
第１孔１４、第２孔１５の、帯状部材１０の短手方向の寸法はＡである。この寸法Ａは、寸法Ｖより長く寸法Ｍより短い。また、第１孔１４の摺動辺１４Ａから第２孔１５の摺動辺１５Ａまでの長手方向における寸法はＬである。
【００２５】
装飾部１６は、帯状部材１０の長手方向において、両側部に山部１２又は谷部１３が形成されている領域と、第１孔１４及び第２孔１５が形成されている領域との間の領域である。装飾部１６には、文字及び模様の少なくとも一方の形状の孔が形成されている。図２の例では、装飾部１６には「＋☆☆☆＋」という模様が形成されている。例えば、病院等の医療機関において、このようなバンド１を患者の手首や足首に装着することにより、その患者が救急患者であることを報知することができる。また、コンサートやイベント会場においてオリジナルのバンドとして配布、販売する場合には、装飾部１６にアーティストの名前やイベントの名称等を示す文字や模様を形成してもよい。
【００２６】
なお、帯状部材１０の外縁、第１孔１４、第２孔１５、装飾部１６に形成される文字や模様の形状の孔は、例えば、シート状の弾性部材に対し打ち抜き加工を行うことで一度に形成することができる。
【００２７】
図３は、バンド１の端部Ｅ１側と端部Ｅ２側とを連結する過程を示す図である。図１に示すように、バンド１を装着する際は、使用者は、帯状部材１０の裏面が手首Ｗの外周面と対向するように、バンド１を手首Ｗの周囲に巻く。そして、使用者は、先端部１１を帯状部材１０の裏面側から第１孔１４に近づけ（図３（Ａ）参照）、先端部１１を帯状部材１０の裏面から第１孔１４に向けて挿入する（図３（Ｂ）参照）。先端部１１は端部Ｅ１側に向けて幅が狭くなる台形状となっているため、使用者は先端部１１を第１孔１４に容易に挿入できる。
【００２８】
使用者による先端部１１の挿入が続くと、第１孔１４へ挿入される部分が先端部１１を越えて山部１２、谷部１３へと達する。さらに、挿入を続けると、短手方向に並ぶ山部１２の頂間の寸法Ｍは第１孔１４の短手方向の寸法Ａより長いため干渉し合うことになるが、山部１２の変形と第１孔１４の周辺部分の変形とにより、山部１２は、第１孔１４へ容易に挿入される。使用者は、手首Ｗと帯状部材１０との隙間が適切な位置となるまで先端部１１、山部１２、谷部１３の第１孔１４への挿入を続ける。
【００２９】
使用者は、適切な位置まで先端部１１等が第１孔１４へ挿入されたと判断した場合、その挿入を停止する。図３（Ｃ）は、第１孔１４に対する先端部１１等の挿入が停止された状態を示している。図３（Ｃ）の状態において、第１孔１４から挿入された山部１２のうち、第１孔１４の摺動辺１４Ａに隣接する山部１２（１）が摺動辺１４Ａにより係止される。ただし、この状態ではまだ、その係止の強度が十分ではなく、第１孔１４に挿入された先端部１１等は比較的容易に第１孔１４から外れる。
【００３０】
なお、バンド１には、複数の山部１２、谷部１３が設けられているため、使用者は自身の手首Ｗのサイズに合う位置に対応する山部１２により、帯状部材１０を手首Ｗに対して係止させることができる。図３（Ｃ）においては、端部Ｅ１から４番目の山部１２（１）までが第１孔１４に挿入され係止されている。例えば、この使用者よりも手首Ｗが細い使用者に装着する場合であれば、山部１２（１）よりも図３（Ｃ）中で右側に位置する山部１２まで第１孔１４に挿入され係止されることとなる。また、この使用者よりも手首Ｗが太い使用者に装着する場合であれば、山部１２（１）よりも図３（Ｃ）中で左側に位置する山部１２まで第１孔１４に挿入され係止されることとなる。
【００３１】
続いて、使用者は、第１孔１４へ裏面側から挿入されて表面側へ露出している先端部１１、山部１２、谷部１３（図３（Ｃ））を、図３（Ｄ）の状態となるように、第２孔１５へと表面側から挿入する。第１孔１４への挿入時と同様に、先端部１１が、端部Ｅ１に近づくほど幅が狭くなる台形状となっているため、使用者は先端部１１を容易に第２孔１５に挿入できる。また、短手方向に並ぶ２つの山部１２の頂間の寸法Ｍは、第２孔１５の短手方向の幅Ａより長いが、山部１２の変形と第２孔１５の周辺部分の変形とにより、山部１２は、第２孔１５へ容易に挿入可能である。
【００３２】
使用者は、先端部１１を第２孔１５に挿入し、続いて山部１２、谷部１３からなる部分を第２孔へと挿入する。先端部１１、山部１２、谷部１３が第２孔１５へ挿入され、第１孔１４から表面に露出して第２孔１５まで延在する部分が平坦な状態になると装着が完了する。
【００３３】
図３（Ｄ）は、装着が完了した状態を示した図である。図３（Ｄ）の状態において、山部１２（１）は、第１孔１４の摺動辺１４Ａにより係止されている。また、山部１２（２）（図３（Ｃ）中では、帯状部材１０の裏側に隠れているため破線で示す）は、第２孔１５の摺動辺１５Ａにより係止されている。
【００３４】
ここで留意すべき点は、図３（Ｄ）の状態において、帯状部材１０の端部Ｅ１側の部分の裏面が端部Ｅ２側の部分の表面に接することによって、第１孔１４及び第２孔１５の周辺部分の変形と、それらの孔に接する山部１２（１）及び山部１２（２）の変形が抑制され、第１孔１４に挿入された部分の山部１２（１）による係止と、第２孔１５に挿入された部分の山部１２（２）による係止の強度が増す点である。その結果、帯状部材１０は、手首Ｗから容易に外れない。
【００３５】
なお、図３（Ｄ）に示すように、第１孔１４と隣接している山部１２（１）と、第２孔１５と隣接している山部１２（２）との間に、もう１つの山部１２（３）がある。すなわち、山部１２（１）と山部１２（２）との間隔は２Ｐであり、この間隔２Ｐが寸法Ｌと同等の長さとなっている。このように、寸法Ｌを、隣り合う山部１２の間隔Ｐのｎ倍（ｎは自然数）とすると、帯状部材１０の端部Ｅ１側の、端部Ｅ２側の部分と重なり合っている部分において、だぶつきが生じない。
【００３６】
ただし、帯状部材１０の端部Ｅ１側の部分の裏面と、端部Ｅ２側の部分の表面が接している部分においては、端部Ｅ１側の部分が外側にあるため、端部Ｅ１側の部分の周長の方が、端部Ｅ２側の部分の周長よりもわずかに長くなる。また、端部Ｅ１側の部分は第１孔１４の裏面側から表面側へ出る部分と、第２孔１５の表面側から裏面側へ入る部分において屈曲するため、その部分にわずかな長さを要する。従って、寸法Ｌを、隣り合う山部１２の間隔Ｐのｎ倍（ｎは自然数）と正確に一致させると、帯状部材１０の端部Ｅ１側の、端部Ｅ２側の部分と重なり合っている部分において、わずかにつっぱりが生じる場合がある。そのような場合は、寸法Ｌは、隣り合う山部１２の間隔Ｐの正確にｎ倍（ｎは自然数）ではなく、間隔Ｐのｎ倍よりも、帯状部材１０の端部Ｅ１側の部分と端部Ｅ２側の部分の周長差や、帯状部材１０の端部Ｅ１側の部分の屈曲に要する長さに応じた分だけわずかに長い寸法とすることで、帯状部材１０の端部Ｅ１側の、端部Ｅ２側の部分と重なり合っている部分において、つっぱりを生じにくくすることができる。本願において、寸法Ｌが、隣り合う山部１２の間隔Ｐのｎ倍（ｎは自然数）と正確に一致する場合に加え、上述したように、帯状部材１０の端部Ｅ１側の部分と端部Ｅ２側の部分の周長差や、帯状部材１０の端部Ｅ１側の部分の屈曲に要する長さを考慮して、寸法Ｌが、隣り合う山部１２の間隔Ｐのｎ倍（ｎは自然数）よりもわずかに長い場合を含むことを「寸法Ｌは、隣り合う山部１２の間隔Ｐの実質的にｎ倍（ｎは自然数）である」と表現するものとする。
【００３７】
［変形例］
上述した実施形態は様々に変形することができる。以下にそれらの変形の例を示す。なお、上述した実施形態および以下に示す変形例は適宜組み合わされてもよい。
【００３８】
（１）上述した実施形態において、帯状部材１０に形成される山部１２及び谷部１３が描く縁の形状は、正弦波又はそれに近い形状であるものとした。本発明に係るバンドが有する山部及び谷部が描く縁の形状はこれに限られない。
【００３９】
図４は、この変形例に係るバンドの帯状部材の構成を示した図である。帯状部材１０の先端部１１に続く部分には、複数の山部１１２及び谷部１１３が形成されており、これらの山部１１２及び谷部１１３が描く縁の形状は、ノコギリ波に丸みを帯びさせた形状となっている。
【００４０】
山部１１２は、傾斜辺１１２Ａと傾斜辺１１２Ｂとにより形成されている。端部Ｅ１側の傾斜辺１１２Ａは、傾斜辺１１２Ｂと比べて、帯状部材１０の長手方向に対する傾斜角度が小さい。隣り合う山部１１２の間には、谷部１１３が形成され、隣り合う山部１１２間の間隔はＰであり、隣り合う谷部１１３間の間隔もＰである。
【００４１】
端部Ｅ１側から、第１孔１４あるいは第２孔１５に挿入する際に、傾斜辺１１２Ａの傾斜角度が小さいため、挿入がしやすい。また、挿入後においては、傾斜辺１１２Ｂの傾斜角度が大きいため、挿入された山部１１２が、第１孔１４あるいは第２孔１５から抜去しにくい。そのため、帯状部材１０が装着した手首Ｗから外れにくい。
【００４２】
（２）第１孔１４及び第２孔１５に例示される、帯状部材の端部Ｅ２側に設けられる孔（帯状部材の端部Ｅ１側の部分が差し込まれる孔）の形状は、様々に変更されてよい。図５は、上述した実施形態に係るバンド１とは異なる形状の孔が設けられたバンドの一例であるバンド２の端部Ｅ２側の部分を示した図である。バンド２を構成する帯状部材２０の端部Ｅ２側の部分には、バンド１が有する第１孔１４と第２孔１５に代えて、第１孔２４と第２孔２５が設けられている。第１孔２４と第２孔２５の各々は、バンド２の短手方向に延伸するスリットと、そのスリットの両端に設けられた裂け止め用の円形の孔により構成される。このように、本願に係るバンドの帯状部材の端部Ｅ２側に設けられる孔の少なくとも一部がスリットにより構成されてもよい。
【００４３】
（３）上述の実施形態においては、バンド１を構成する帯状部材１０のうち、長手方向において、複数の山部１２又は複数の谷部１３が形成されている領域と、第１孔１４及び第２孔１５が形成されている領域との間の領域（以下、「中間領域」という）に、文字及び模様の少なくとも一方の形状の孔が形成されるものとした。これに代えて、もしくは加えて、帯状部材の中間領域に、インクによる筆記を受け付ける筆記領域を設けてもよい。
【００４４】
図６は、この変形例に係るバンド３の中間領域を示した図である。バンド３を構成する帯状部材３０の中間領域には、筆記領域３１が設けられている。筆記領域３１は、例えば、帯状部材３０の表面に、乾燥するとインクによる筆記を受け付ける塗膜となる塗料を塗布することにより形成されてもよいし、インクによる筆記を受け付けるフィルム状部材を接着剤等により取り付けることにより形成されてもよい。
【００４５】
筆記領域３１に用いられる素材として、例えばホワイトボードのように、その上にインクで筆記された文字や模様が容易に消去可能な素材が採用されてもよい。
【００４６】
また、中間領域に、エンボス加工や印刷等により、文字や模様が描かれてもよい。
【００４７】
（４）上述の実施形態においては、帯状部材１０の端部Ｅ２側には第１孔１４、第２孔１５の２つの孔を設けるものとしたが、３つ以上の孔を設けるものとしてもよい。
【００４８】
３つの孔を設ける構成の場合、例えば、先端部１１に続いて設けられた第１孔１４と第２孔１５に続いて、さらに第３孔を設ける。第３孔は、第１孔１４、第２孔１５と同様の大きさで、第３孔の摺動辺から第２孔１５の摺動辺１５Ａまでの距離は、摺動辺１４Ａと摺動辺１５Ａとの距離と同様にＬとすることが好ましい。このような構成において、第２孔１５から裏面側に挿入された先端部１１、山部１２、谷部１３を、裏面側から第３孔に挿入し、挿入された山部１２のうち第３孔の摺動辺に隣接する山部１２により、さらに第３孔から山部１２が抜去することを係止できる。このため、帯状部材１０を手首Ｗからさらに外れにくくすることができる。
【００４９】
また、この変形例に係るバンドにおいて、手首の太い人は第１孔１４の裏面側から表面側へ貫通させた先端部１１を第２孔１５の表面側から裏面側へ挿入することによってバンドを装着し、手首の細い人は第２孔１５の裏面側から表面側へ貫通させた先端部１１を第３孔の表面側から裏面側へ挿入することによってバンドを装着する、といった使い方がされてもよい。
【００５０】
（５）上述の実施形態においては、装着の際に、帯状部材１０の先端部１１を、第１孔１４へ裏面側から挿入し、第２孔１５へ表面側から挿入するものとしたが、各々反対側から挿入するものとしてもよい。すなわち、帯状部材１０の先端部１１を、第１孔１４へ表面側から挿入し、その後第２孔１５へ裏面側から挿入するものとしてもよい。
【符号の説明】
【００５１】
１・２・３…バンド、１０・２０・３０…帯状部材、１１…先端部、１２…山部、１３…谷部、１４・２４…第１孔、１５・２５…第２孔、１６…装飾部、３１…筆記領域、１１２…山部、１１３…谷部。
【図１】
2020089597.tif 000003
【図２】
2020089597.tif 000004
【図３】
2020089597.tif 000005
【図４】
2020089597.tif 000006
【図５】
2020089597.tif 000007
【図６】
2020089597.tif 000008